【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
一の電極と他の電極でコンデンサを構成し、電極に検出対象物の人体などが接近すると、両電極間の静電容量が変化し、静電容量の変化で検出対象物の接近を検出する静電容量型近接センサにおいて、
一の電極は、表面積の少ない線状の形状にし、他の電極は、表面積の多い面状の形状にし、
線状電極は直線状の形状にし、面状電極は帯状の形状にし、
線状電極と面状電極は、間隔を置いて長さ方向を揃えて並列し、線状電極を面状電極の幅方向中央位置に配置し、
線状電極が面状電極に隠れない側を前側の検出領域にしたことを特徴とする静電容量型近接センサ。
【請求項２】
線状電極は、電線にし、
面状電極は、平板の両側を前側に折り返し、後側に後側板を、前側の両側に前側板を有し、両側の前側板の間に線状電極を前側板と長さ方向を揃えて配置し、
線状電極は、両側の前側板と後側板から等距離に位置したことを特徴とする請求項１に記載の静電容量型近接センサ。
【請求項３】
面状電極の後側には、間隔を置いて遮蔽電極を並列して対面し、遮蔽電極を接地する構成にしたことを特徴とする請求項１又は２に記載の静電容量型近接センサ。
【請求項４】
線状電極と面状電極によるコンデンサ、面状電極に接続したコイルと発信源を接続して直列共振回路を構成し、直列共振回路の電圧又は電流を検出する構成にし、
発信源の発信周波数を直列共振周波数より高く設定し、前側の検出領域で検出対象物が接近すると、直列共振周波数が低くなって検出電圧又は検出電流が減少し、検出対象物ではない雨滴などが最接近すると、直列共振周波数が低くなると共にインピーダンスが減少し、検出電圧又は検出電流が変化しない、又は、ほとんど変化しない構成にしたことを特徴とする請求項１、２又は３に記載の静電容量型近接センサ。
【請求項５】
面状電極の片端側にコイルを配置し、面状電極とコイルを接続した電線、線状電極、面状電極とコイルを電気絶縁体に埋没して固定したことを特徴とする請求項４に記載の静電容量型近接センサ。
【手続補正２】
【補正対象書類名】明細書
【補正対象項目名】０００７
【補正方法】変更
【補正の内容】
【０００７】
１）電極（図１〜図３参照）
電極の例１では、図１に示すように、線状電極１は、直線状の電線であり、直径０．２２mmで、長さ３００mmである。面状電極２は、帯状ないし長方形状の平板であり、幅３０mmで、長さ３００mmである。線状電極１は、面状電極２と長さ方向を揃えて並列し、面状電極２の幅方向中央位置に配置し、面状電極２との間に間隔３mmを置いている。両電極の線状電極１側は、線状電極１が面状電極２に隠れず、線状電極１と面状電極２が現れ、前側の領域であって検出領域である。面状電極２側は、線状電極１が面状電極２に隠れ、後側の領域である。
【手続補正３】
【補正対象書類名】明細書
【補正対象項目名】０００８
【補正方法】変更
【補正の内容】
【０００８】
電極の例２では、図２に示すように、線状電極１は、電極例１におけるのと同じ電線である。面状電極は、電極例１における面状電極２の平板の上辺と下辺をそれぞれ上下に延長して前側に折り返している。電極例１における面状電極２と同形同寸の後側板３の上縁と下縁にそれぞれ上側板と下側板を介して前側板４を連結している。後側板３と線状電極１の相対位置は、電極例１における面状電極２と線状電極１のそれと同じである。２枚の前側板４は、後側板３と並列し、線状電極１の上下に位置し、線状電極１との間に間隔３mmを置いている。面状電極は、折り返し板３、４である。両電極の線状電極１側は、前側の領域であって検出領域である。面状電極３、４の後側板３側は、後側の領域である。
【手続補正４】
【補正対象書類名】明細書
【補正対象項目名】００２２
【補正方法】変更
【補正の内容】
【００２２】
［他の電極例（図１０、図１１参照）］
電極例３は、電極例２の面状電極を変形している。電極例２の面状電極における後側板３、上側板と下側板は、なくしている。電極例３の面状電極は、図１０に示すように、上下の前側板４のみにしている。電極例３は、上下の前側板４、平板の面状電極と電線の線状電極１からなる。上下の前側板４のみの面状電極は、電極例２の折り返し板の面状電極より製造し易い。
【手続補正５】
【補正対象書類名】明細書
【補正対象項目名】００２３
【補正方法】変更
【補正の内容】
【００２３】
また、電極例４は、電極例３の面状電極を変形している。電極例３の面状電極における上側の前側板４の下縁と下側の前側板４の上縁は、図１１に示すように、溝形断面の溝形板５で連結している。溝形板５は、遮蔽電極８側の後側に突出している。電極例４の面状電極は、上下の前側板４と溝形板５からなり、折り曲げ板である。電極例４は、折り曲げ板の面状電極４、５と電線の線状電極１からなる。折り曲げ板の面状電極４、５は、電極例２の折り返し板の面状電極より製造し易い。
【手続補正６】
【補正対象書類名】明細書
【補正対象項目名】００３０
【補正方法】変更
【補正の内容】
【００３０】
１）一の電極と他の電極でコンデンサを構成し、電極に検出対象物の人体などが接近すると、両電極間の静電容量が変化し、静電容量の変化で検出対象物の接近を検出する静電容量型近接センサにおいて、
一の電極は、表面積の少ない線状の形状にし、他の電極は、表面積の多い面状の形状にし、
線状電極は直線状の形状にし、面状電極は帯状の形状にし、
線状電極と面状電極は、間隔を置いて長さ方向を揃えて並列し、線状電極を面状電極の幅方向中央位置に配置し、
線状電極が面状電極に隠れない側を前側の検出領域にしたことを特徴とする。
２）上記の静電容量型近接センサにおいて、
線状電極は、電線にし、
面状電極は、平板の両側を前側に折り返し、後側に後側板を、前側の両側に前側板を有し、両側の前側板の間に線状電極を前側板と長さ方向を揃えて配置し、
線状電極は、両側の前側板と後側板から等距離に位置したことを特徴とする。
３）上記の静電容量型近接センサにおいて、
面状電極の後側には、間隔を置いて遮蔽電極を並列して対面し、遮蔽電極を接地する構成にしたことを特徴とする。
４）上記の静電容量型近接センサにおいて、
線状電極と面状電極によるコンデンサ、面状電極に接続したコイルと発信源を接続して直列共振回路を構成し、直列共振回路の電圧又は電流を検出する構成にし、
発信源の発信周波数を直列共振周波数より高く設定し、前側の検出領域で検出対象物が接近すると、直列共振周波数が低くなって検出電圧又は検出電流が減少し、検出対象物ではない雨滴などが最接近すると、直列共振周波数が低くなると共にインピーダンスが減少し、検出電圧又は検出電流が変化しない、又は、ほとんど変化しない構成にしたことを特徴とする。
５）上記４）の静電容量型近接センサにおいて、
面状電極の片端側にコイルを配置し、面状電極とコイルを接続した電線、線状電極、面状電極とコイルを電気絶縁体に埋没して固定したことを特徴とする。
【手続補正７】
【補正対象書類名】明細書
【補正対象項目名】００３４
【補正方法】変更
【補正の内容】
【００３４】
遮蔽電極１２は、金属板で帯状ないし長方形状の平板であり、片側の板面に絶縁シート１３を重ねている。絶縁シート１３は、電気絶縁体であり、遮蔽電極１２とほぼ同形同寸で、遮蔽電極１２と長さ方向を揃えている。絶縁シート１２の片側の面には、面状電極１４を重ねている。面状電極１４は、図８に示した形態の折り返し板の金属板であり、後側に後側板１５を、前側の両側に前側板１６を有している。後側板１５は、遮蔽電極１２や絶縁シート１３より一回り小さい帯状ないし長方形状の平板であり、絶縁シート１３と長さ方向を揃えている。遮蔽電極１２と面状電極１４の後側板１５の間には、絶縁シート１３を挟んでいる。両側の前側板１６の間には、線状電極１７を前側板１６と長さ方向を揃えて配置している。線状電極１７は、丸棒の金属線、直線状の電線であり、面状電極１４とほぼ同じ長さで、両側の前側板１６と後側板１５から等距離に位置している。遮蔽電極１２、面状電極１４と線状電極１７は、間隔を置いて並列している。
【手続補正８】
【補正対象書類名】明細書
【補正対象項目名】００３７
【補正方法】変更
【補正の内容】
【００３７】
面状電極１４と線状電極１７は、コンデンサＣ２を構成している。面状電極１４と遮蔽電極１２は、コンデンサＣ３を構成している。遮蔽電極１２、面状電極１４、線状電極１７とコイル１８及び電線２１は、ケース２２に埋没し、固定されている。それら付近の漂遊容量や漂遊インダクタンスが変化し難い。漂遊容量などの変化によるＬＣ直列共振特性のずれが生じ難い。
【手続補正９】
【補正対象書類名】明細書
【補正対象項目名】００４０
【補正方法】変更
【補正の内容】
【００４０】
［変形例］
１）上記の実施形態において、線状電極１７は、断面形状が円形であるが、角形にする。
２）上記の実施形態において、面状電極１４は、形態が折り返し板であるが、図１１に示した折り曲げ板、図１０に示した２枚の平板、又は、図７に示した１枚の平板にする。
【手続補正１０】
【補正対象書類名】明細書
【補正対象項目名】００４３
【補正方法】変更
【補正の内容】
【００４３】
１  線状電極、電線
２  面状電極、平板、金属板
３、４  面状電極、折り返し板、金属板
３  面状電極の後側板
４  面状電極の前側板、面状電極
４、５  面状電極、折り曲げ板、金属板
５  面状電極の溝形板
６  電極
７  電極
８  遮蔽電極、平板、金属板
１１  感知部
１２  遮蔽電極、平板、金属板
１３  絶縁シート、電気絶縁体
１４  面状電極、折り返し板、金属板
１５  面状電極の後側板
１６  面状電極の前側板
１７  線状電極、丸棒の金属線、電線
１８  コイル
１９、２０  ケーブル、ケーブルのシールド線
１９  シールド線
２０  シールド線
２１  電線
２２  ケース、合成樹脂成形品の電気絶縁体
３１  電気回路部
Ｅ  発信源
Ｌ  コイル、インダクタンス
Ｃ１  コイルの巻き線間静電容量
Ｃ２  電極によるコンデンサ
Ｃ３  遮蔽電極によるコンデンサ
Ｃ  人体によるコンデンサ
Ｒ  抵抗器
Ｖ  電圧、検出電圧